(57)【要約】【課題】書籍等の背表紙から剥離し難く、かつ、紐状部材同士を絡み難くする粘着式紐状しおりを提供する。【解決手段】  粘着式紐状しおりは、十分な面積を有しつつ片面に粘着面を有するシート状の貼付部材１と、貼付部材１に貼着された連結部材と、連結部材に連結された紐状部材４とからなる。連結部材は、環状７に構成されるとともに貼付部材１の粘着面１４ａによって貼着されている。連結部材の形状は三角環状３、多角環状６とすることもできる。貼付部材１は、連結部材３を貼着する部分を除き剥離紙２によって被覆される。【選択図】  図１
2008062544.tif 000002
【特許請求の範囲】
【請求項１】
十分な面積を有しつつ片面に粘着面を有するシート状の貼付部材と、該貼付部材に貼着された連結部材と、該連結部材に連結された紐状部材とからなり、前記連結部材は、環状に構成されるとともに、前記貼付部材の粘着面の一部によって貼着された連結部材であり、前記貼付部材は、前記連結部材を貼着する部分を除き剥離紙によって、被覆されることを特徴とする粘着式紐状しおり。
【請求項２】
十分な面積を有しつつ片面に粘着面を有するシート状の貼付部材と、該貼付部材に貼着された連結部材と、該連結部材に連結された紐状部材とからなり、前記連結部材は、多角環状に構成されるとともに、前記貼付部材の粘着面の一部によって貼着された連結部材であり、前記貼付部材は、前記連結部材を貼着する部分を除き剥離紙によって、被覆されることを特徴とする粘着式紐状しおり。
【請求項３】
十分な面積を有しつつ片面に粘着面を有するシート状の貼付部材と、該貼付部材に貼着された連結部材と、該連結部材に連結された紐状部材とからなり、前記連結部材は、三角環状に構成されるとともに、前記貼付部材の粘着面の一部によって貼着された連結部材であり、前記貼付部材は、前記連結部材を貼着する部分を除き剥離紙によって、被覆されることを特徴とする粘着式紐状しおり。
【請求項４】
十分な面積を有しつつ片面に粘着面を有するシート状の貼付部材と、該貼付部材の粘着面を被覆する剥離紙と、前記貼付部材の一部によって貼着された連結部材と、該連結部材に一端が連結された紐状部材とからなる粘着式紐状しおりであって、前記貼付部材は、四つの突片を有する略十字状平面を有する貼付部材であり、前記連結部材は、三角環状に形成される棒状部材であるとともに、その一辺が前記略十字状平面を構成する四つの突片のうちの任意の一突片の粘着面によって粘着され、かつ、該突片の粘着面が前記三角環状を形成する連結部材の一辺を挟みつつ、該粘着面同士を粘着することにより貼着された連結部であり、前記剥離紙は、貼付部材と同様の略十字状に形成されるとともに、前記連結部材が連結された突片を被覆すべき範囲において、前記粘着面を被覆することなく剥離用突片部が構成されてなる剥離紙であることを特徴とする粘着式紐状しおり。
【請求項５】
前記紐状部材は、該紐状部材の一端に袋状部材が取り付けられている紐状部材である請求項１ないし請求項４のいずれかに記載の粘着式紐状しおり。
【発明の詳細な説明】
【技術分野】
【０００１】
本発明は、書籍等の間に挟まれるしおりに関し、特に書籍等のページ間に紐状部材を差し込むようにする、いわゆる紐状しおりに関するものである。
【背景技術】
【０００２】
従来のしおりは、主に紐状のしおりと短冊状のしおりが使用されていた。紐状のしおりは、製造当初より書籍の背表紙に予め装着されているものが一般的である。この種のしおりは、利用者の使用態様とは関係なく、書籍等の全ページ数や記述内容等によって紐状部材の本数が決定され、利用者が目的ページを再度開く必要があると予想するときは、これらの限定的な本数の紐状部材により、差し込んで利用していた。そして、本数が不足するときには、付箋を貼着したり、短冊状しおりを併用することをしていた。
【０００３】
他方、短冊状のしおりは、紙製で安価であることから、数多く使用することができるが、多数使用すれば、書籍そのものが厚くなってしまうこととなり、外観を損ねることとなり、また、書籍の所望ページから落下することがあり、該当ページを再度開くことが出来なくなる等の問題があった。
【０００４】
ここで、上記従来のしおりを改善するものとして粘着式紐状しおりが提案されている（特許文献１ないし特許文献６）。
【特許文献１】実開平６−５９０６６号公報
【特許文献２】実開平３−８７２７６号公報
【特許文献３】実用新案登録第３０４２７４９号公報
【特許文献４】特開２００１−１３８６６６号公報
【特許文献５】特開平７−３２９４４９号公報
【特許文献６】特開平６−７２０６８号公報
【発明の開示】
【発明が解決しようとする課題】
【０００５】
しかしながら、粘着式紐状しおりは、書籍等の背表紙のみに貼り付けられており、貼付部材の粘着面が１箇所のため、粘着力が低下してくると、貼り付けられた書籍等の背表紙から剥離するという問題があった。
【０００６】
また、粘着式紐状しおりには、紐状部材が貼付部材の粘着面に複数本取り付けられているものがあるが、紐状部材は粘着面に固定されているので、紐状部材を使用する際に紐状部材同士が絡まり、書籍を傷つける恐れがあり不便であった。
【０００７】
本発明は、上記諸点にかんがみてなされたものであって、その目的とするところは、書籍等の背表紙から剥離し難く、かつ、紐状部材同士を絡み難くする粘着式紐状しおりを提供することにある。
【課題を解決するための手段】
【０００８】
そこで、本発明は、十分な面積を有しつつ片面に粘着面を有するシート状の貼付部材と、この貼付部材に貼着された連結部材と、この連結部材に連結された紐状部材とからなり、この連結部材は、環状に構成されるとともにこの貼付部材の粘着面の一部によって貼着された連結部材であり、この貼付部材は、この連結部材を貼着する部分を除き剥離紙によって被覆されることを特徴とする粘着式紐状しおりを要旨とする。
【０００９】
上記構成によれば、粘着式紐状しおりは、連結部材を貼着しない貼付部材の残部により書籍の背表紙のみならず、表表紙及び裏表紙にも貼り付けることによって、従来の背表紙のみに貼り付けられていた場合に比べて貼付部材の接着面を多くさせることができる。
【００１０】
また、使用する時は、紐状部材を書籍の間に挟み込み、書籍の縦方向下向きに動かすことで、貼着された連結部材の一部を軸心としてこの連結部材が回動を許容され、この連結部材の自由端側を書籍の天面に当接する位置で停止させることができる。このとき、連結部材は環状となるように形成されており、紐状部材の取付位置を環状上のそれぞれ異なる位置に配置させることができるので、紐状部材は複数本でも取り付けられる。
【００１１】
ここで、連結部材について詳述すると、この連結部材の環状の一部が粘着されることにより、当該部分は貼付部材により固定されることとなるため、貼付部材と連結部材との間には遊びが発生しないが、貼付部材そのものは十分な柔軟性を有するものであれば、この貼付部材に貼着された連結部材は多少の可動性を有することとなる。そのため、連結部材の全体が環状の一部を軸心とする回動を許容される。
【００１２】
また、本発明は、十分な面積を有しつつ片面に粘着面を有するシート状の貼付部材と、この貼付部材に貼着された連結部材と、この連結部材に連結された紐状部材とからなり、この連結部材は、多角環状に構成されるとともにこの貼付部材の粘着面の一部によって貼着された連結部材であり、この貼付部材は、この連結部材を貼着する部分を除き剥離紙によって被覆されることを特徴とする粘着式紐状しおりをも要旨とする。
【００１３】
上記構成によれば、前記発明に加え、書籍に本発明の粘着式しおりを装着し、連結部材を書籍の天面に当接させるとき、連結部材を形成する多角環状の各頂点は異なる位置に配置されることとなるから、複数の紐状部材の取付位置を当該頂点に応じて異なる位置に取り付けることができる。
【００１４】
さらに、本発明は、十分な面積を有しつつ片面に粘着面を有するシート状の貼付部材と、この貼付部材に貼着された連結部材と、この連結部材に連結された紐状部材とからなり、この連結部材は、三角環状に構成されるとともにこの貼付部材の粘着面の一部によって貼着された連結部材であり、この貼付部材は、この連結部材を貼着する部分を除き剥離紙によって被覆されることを特徴とする粘着式紐状しおりをも要旨とする。
【００１５】
上記構成によれば、前記発明に加え、書籍に本発明の粘着式しおりを装着し、連結部材を書籍の天面に当接させるとき、連結部材を形成する三角環状の各頂点は異なる三点に配置されることとなるから、複数の紐状部材の取付位置を当該頂点に応じて異なる位置に取り付けることができる。
【００１６】
また、本発明は、十分な面積を有しつつ片面に粘着面を有するシート状の貼付部材と、この貼付部材の粘着面を被覆する剥離紙と、この貼付部材の一部によって貼着された連結部材と、この連結部材に一端が連結された紐状部材とからなる粘着式紐状しおりであって、この貼付部材は、四つの突片を有する略十字状平面を有する貼付部材であり、この連結部材は、三角環状に形成される棒状部材であるとともに、その一辺がこの略十字状平面を構成する四つの突片のうちの任意の一突片の粘着面によって粘着され、かつ、この突片の粘着面がこの三角環状を形成する連結部材の一辺を挟みつつ、この粘着面同士を粘着することにより貼着された連結部であり、この剥離紙は、貼付部材と同様の略十字状に形成されるとともに、この連結部材が連結された突片を被覆すべき範囲において、この粘着面を被覆することなく剥離用突片部が構成されてなる剥離紙であることを特徴とする粘着式紐状しおりを要旨とする。
【００１７】
上記構成によれば、略十字状の貼付部材のうち連結部材を貼着した残りの三つの突片は、略Ｔ字状となるため、この突片の中央の一つを背表紙に貼着するとき、他の突片は表表紙と裏表紙に貼着が可能となる。
【００１８】
そして、この貼付部材に貼着された連結部材は、三角環状であることから、前記発明と同様に異なる頂点に複数の紐状部材を取り付けることができる。
【００１９】
また、上記各発明において、紐状部材の一端に袋状部材が取り付けられている構成とすることができる。この構成により、粘着式紐状しおりは、紐状部材の一端の袋状部材に、付箋紙、インデックス等を入れて使用することが可能となる。
【発明の効果】
【００２０】
本発明によれば、貼付部材の一部は環状の連結部材と貼着されるものの、貼付部材の残部は書籍等の背表紙、表表紙、裏表紙に貼り付けられるため、従来の背表紙のみに貼り付けられていた場合に比べて貼付部材の接着面を多くさせられる。その結果、貼付部材の接着強度を向上させ、書籍等の背表紙から剥離し難くさせることができる。
【００２１】
また、連結部材を環状にすることで、紐状部材の取付位置を環状上のそれぞれ異なる位置に配置させることができ、紐状部材同士が交差せず、紐状部材を複数本取り付けても紐状部材同士が絡み難くなる。
【００２２】
ここで、好適には、連結部材の形状を多角環状にすることができる。このようにすれば、この多角環状の各頂点はそれぞれ一定の距離を保っているため、紐状部材の取付位置を多角環状上の各頂点の異なる位置に配置させることができる。これにより、紐状部材同士が交差せず、紐状部材を複数本取り付けても、紐状部材同士が絡み難くなる。
【００２３】
また、好適には、連結部材の形状を三角環状にもすることができる。このようにすれば、この三角環状の各頂点はそれぞれ一定の距離を保っているため、紐状部材の取付位置を三角環状上の各頂点の異なる位置に配置させることができる。このとき、三角環状は多角環状よりも内角が鋭角となるため、この連結部材に取り付けられた紐状部材を書籍の縦方向に引っ張った際に、引張力により紐状部材の取付部が三角環状上を頂点方向に移動し、紐状部材を三角環状の頂点で止めることが可能となる。これにより、連結部材が多角環状の場合よりも更に紐状部材同士が交差せず、紐状部材を複数本取り付けても、紐状部材同士が絡み難くなる。
【００２４】
さらに、好適には、貼付部材を四つの突片を有する略十字状平面に形成させることができ、貼付部材の四つの突片の内の任意の一突片は連結部材を貼着させるので、残りの三つの突片は書籍の背表紙、表表紙、裏表紙のそれぞれに貼り付けられる。これにより、従来の背表紙のみに貼り付けられる場合に比べて粘着面を多くさせることができるので、粘着強度が向上することになる。
【００２５】
また、好適には、紐状部材の一端に袋状部材を取り付けることができ、この袋状部材内には、付箋紙、インデックス等を入れることもできるので、使用者が書籍を使用する際に必要と思うものを同時に保持できることとなり、より多くの目的に活用できる。
【発明を実施するための最良の形態】
【００２６】
以下、本発明の実施の形態を図面に基づいて説明する。図１は、本発明の第一の実施形態を示す斜視図である。図１及び図３に示すように、本実施形態の粘着式紐状しおりＡは、片面に粘着面を有するシート状の貼付部材１と、この貼付部材１の粘着面を被覆する剥離紙２と、この貼付部材１の一部によって貼着された連結部材３と、この連結部材３に一端が連結された紐状部材４とから構成されている。
【００２７】
貼付部材１は、図３に示すように、十分な柔軟性を有するビニル製又はプラスチック製のシート材により四つの突片１１，１２，１３，１４を有する略十字状平面に形成されている。この四つの突片１１，１２，１３，１４のうち、三つの突片１１，１２，１３はほぼ同じ面積であるが、残り一つの突片１４は、他よりも狭面積で構成され、狭面積の一つは連結部材３を貼着するものである。
【００２８】
剥離紙２は、図３及び図４に示すように、貼付部材１と同様の略十字状に形成されるとともに、上記連結部材３が連結される突片１４を被覆すべき範囲において、この粘着面１４ａを被覆することなく、当該剥離紙２の剥離を容易にするための剥離用突片部２４が構成されたものである。
【００２９】
連結部材３は、図１及び図３において示したように、三角環状に形成される棒状部材であるとともに、その三角形の一辺を形成する部分３１が上記貼付部材１の略十字状平面を構成する四つの突片１１，１２，１３，１４のうちの一つの突片１４の粘着面１４ａによって粘着され、かつ、この突片１４の粘着面１４ａが連結部材の一辺部分３１を挟みつつ、この粘着面１４ａ同士を粘着することにより貼着されたものである。
【００３０】
ここで、連結部材３について詳述すると、この連結部材３の三角環状の一辺部分３１が粘着されることにより、この一辺部分３１の軸線方向Ｘは貼付部材１により固定されるため、貼付部材１と連結部材３との間には遊びが発生しないこととなる。しかし、貼付部材１は十分な柔軟性を有するため、連結部材３が貼着された一辺部分３１の円周方向に対しては多少の可動性を有することとなる。そのため、連結された一辺部分３１を軸心として連結部材３の回動が許容されることとなり、また、連結部材３の残りの二辺部分３２，３３は貼付部材１に連結されないため、紐状部材４を取り付けることができる部分が確保されることとなる。
【００３１】
なお、上記連結部材３の二辺部分３２，３３に取り付けるべき紐状部材４は、紐状のものであれば、材質はいずれのものであっても良いため、紙、布、合成樹脂等が使用可能である。
【００３２】
本実施形態は、以上のような構成であるから、図２及び図３において示したように、粘着式紐状しおりＡは、貼付部材１の四つの突片１１，１２，１３，１４のうちの一つの突片１４は連結部材３を貼着させるので、残りの三つの突片１１，１２，１３により書籍５の背表紙５１、表表紙５２、裏表紙５３のそれぞれに貼り付けることができ、従来の背表紙のみに貼り付けられる場合に比べて粘着面が多くなるため、粘着強度が向上する。即ち、背表紙５１においては、本の縦方向に沿って長尺に突片が貼着されるため、連結部材が引っ張られた場合に抵抗し得ることとなる。また、表表紙５２及び裏表紙５３においては、本の横方向に沿って長尺に突片１２，１３が貼着されるため、本の開閉によって剥離し難くなるのである。
【００３３】
また、紐状部材４は連結部材３と連結されているため、使用する時は、紐状部材４を書籍５の間に挟み込み、書籍５の縦方向に沿って動かすことで、貼着された連結部材３の一辺部分３１を軸心として回動させ、書籍５の天面に当接する位置で停止させることができる。このとき、連結部材３は三角環状となるように形成されており、この三角環状の各頂点３４，３５，３６は異なる位置に分かれるため、紐状部材４の取付位置を三角環状の各頂点３４，３５，３６に取り付けることにより、それぞれを異なる位置に配置させることができるので、紐状部材４同士が交差せず、紐状部材４を複数本取り付けても、紐状部材４同士が絡み難くなる。
【００３４】
そして、仮に複数の紐状部材４が二辺部分３２，３３に取り付けられたとしても、その紐状部材４が引っ張られることにより、その二辺部分３２，３３の軸線に沿って移動することとなるため、両辺３２，３３の狭角に位置する頂点３４に集中することとなるが（図２参照）、この場合でも複数の紐状部材４は、一点において取り付けられる状態であるから、相互に交差することを避けることができるのである。
【００３５】
次に、第二の実施形態について説明する。上記の実施形態では、連結部材３として三角環状の場合のみについて説明したが、図５のような多角環状の連結部材６とすることもできる（図では六角形）。この場合には、この多角環状の各頂点６１，６２，６３，６４，６５，６６に複数の紐状部材４を取り付けることができることから、より多くの紐状部材４を交差させることなく紐状しおりとして活用できる。また、図６のような環状の連結部材７にもすることもできる。この場合には、環状上に複数本の紐状部材４を連続して取り付けることができるので、更に多くの紐状部材４を紐状しおりとして活用できる。ここで、両実施形態の連結部材６，７はいずれも貼付部材１によって貼着され、各連結部材６，７の一部を軸心とする回動が許容されるものである。
【００３６】
なお、本発明の実施形態は以上のとおりであるが、本発明の趣旨を逸脱しない範囲において、種々の態様をとることができる。図７に示すように、例えば、紐状部材４の一端には、袋状部材８を取り付けることができ、この袋状部材８内には、付箋紙８１、インデックス８２等を入れることもできる。このような袋状部材８に書籍５の使用時に必要となる道具を予め入れることにより、書籍５の利用が一層便利なものとなり、また、多目的なしおりとして活用できる。
【００３７】
また、貼付部材１の形状は、略十字形状のもののみについて説明したが、この形状は、連結部材３，６，７を貼着すべき部分、並びに表表紙、裏表紙及び背表紙に貼着される部分を象徴的に表現したものであって、各種形状にすることができる。そのような場合においても、上記四つの貼着が実現し得る面積を有することが肝要である。
【図面の簡単な説明】
【００３８】
【図１】本発明の第一の実施形態を示す斜視図である。
【図２】本発明の第一の実施形態を示す正面図である。
【図３】連結部材３の取付状態を示す説明図である。
【図４】貼付部材１の断面図である。
【図５】本発明の第二の実施形態を示す斜視図である。
【図６】本発明の第三の実施形態を示す斜視図である。
【図７】本発明の他の実施形態を示す斜視図である。
【符号の説明】
【００３９】
１：貼付部材
１１，１２，１３，１４：貼付突片
１４ａ：粘着面
２：剥離紙
２４：剥離用突片部
３，６，７：連結部材
３１，３２，３３：連結部材（三角環状）の辺
３４，３５，３６：連結部材（三角環状）の頂点
４：紐状部材
５：書籍
５１：背表紙
５２：表表紙
５３：裏表紙
６１，６２，６３，６４，６５，６６：連結部材（六角環状）の頂点
８：袋状部材
８１：付箋紙
８２：インデックス
【図１】
2008062544.tif 000003
【図２】
2008062544.tif 000004
【図３】
2008062544.tif 000005
【図４】
2008062544.tif 000006
【図５】
2008062544.tif 000007
【図６】
2008062544.tif 000008
【図７】
2008062544.tif 000009